【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
学校の授業で利用する機器に関する情報と、当該学校に所属する学習者に関する情報を記憶する記憶装置と、処理装置と、を備え、前記授業を行う各教室に設置された無線アクセスポイント（無線ＡＰ）を介して無線通信接続された同一授業に参加する複数の通信端末の通信状態を均質化する学習支援システムであって、
前記記憶装置は、
前記無線ＡＰのＡＰ識別情報と当該無線ＡＰが設置された前記教室の教室情報とを関連付けたＡＰ情報を記憶するＡＰ情報記憶部と、
前記学習者のユーザ識別情報と所属情報とを関連付けた名簿情報を記憶する名簿情報記憶部と、を備え、
前記処理装置は、
前記通信端末の端末識別情報と、当該通信端末を使用する前記学習者のユーザ識別情報と、を通信端末情報として取得する通信端末情報取得部と、
前記通信端末情報と前記名簿情報とを関連付けて通信状態情報として管理する通信状態情報管理部と、
授業が行われる前記教室の前記教室情報と、当該授業を受講すべき前記学習者の前記所属情報と、が関連付けられた授業開始情報を取得する授業開始情報取得部と、
前記授業開始情報と前記通信状態情報とに基づいて、前記通信端末が、前記授業開始情報に係る授業を受講すべき前記学習者が使用する授業参加端末であるか否かを判定する授業参加端末判定部と、
前記授業開始情報と前記ＡＰ情報とから前記授業開始情報に係る授業が行われる前記教室に設置された前記無線ＡＰを授業実施ＡＰとして特定する授業実施ＡＰ特定部と、
前記授業参加端末に対して、前記授業実施ＡＰに接続するよう接続指示を行う通信制御実行部と、を備えたことを特徴とする学習支援システム。
【請求項２】
前記通信端末情報取得部は、前記通信端末が無線通信接続している無線ＡＰのＡＰ情報を接続先ＡＰ情報として取得する接続先ＡＰ情報取得手段を備え、
前記通信状態情報管理部は、前記通信端末情報と前記名簿情報と前記接続先ＡＰ情報とを関連付けて前記通信状態情報として管理し、
前記処理装置は、さらに、
前記授業実施ＡＰと前記通信状態情報とに基づいて、当該授業実施ＡＰに無線通信接続している授業実施ＡＰ接続端末を判定する授業実施ＡＰ接続端末判定部と、
前記授業実施ＡＰ接続端末から、前記授業参加端末以外の前記通信端末を不正接続端末として特定する不正接続端末特定部と、を備え、
前記通信制御実行部は、前記不正接続端末に対して前記授業実施ＡＰに対する無線通信接続を切断するよう指示することを特徴とする請求項１に記載の学習支援システム。
【請求項３】
前記処理装置は、さらに、
前記ＡＰ情報と前記通信端末の位置情報とに基づいて、前記通信端末が無線通信接続可能な範囲内に設置されている前記無線ＡＰを接続可能ＡＰとして判定する接続可能ＡＰ判定部と、
前記接続可能ＡＰと、前記通信制御実行部からの前記接続指示と、に基づいて、新たに無線通信接続する再接続先ＡＰを決定する再接続先ＡＰ決定部と、
前記再接続先ＡＰに対して新たに無線通信接続を実行する再接続実行部と、を備えることを特徴とする請求項１または請求項２に記載の学習支援システム。
【請求項４】
学校の授業で利用する機器に関する情報と、当該学校に所属する学習者に関する情報を記憶する記憶装置と、処理装置と、を備え、前記授業を行う各教室に設置された無線アクセスポイント（無線ＡＰ）を介して無線通信接続された同一授業に参加する複数の通信端末の通信状態を均質化する学習支援システムに用いられる学習支援プログラムであって、
前記処理装置に、
前記通信端末の端末識別情報と、当該通信端末を使用する前記学習者のユーザ識別情報と、を通信端末情報として取得する通信端末情報取得機能と、
前記通信端末情報と、前記学習者のユーザ識別情報と所属情報とを関連付けた名簿情報と、を関連付けて通信状態情報として管理する通信状態情報管理機能と、
授業が行われる前記教室の前記教室情報と、当該授業を受講すべき前記学習者の前記所属情報と、が関連付けられた授業開始情報を取得する授業開始情報取得機能と、
前記授業開始情報と前記通信状態情報とに基づいて、前記通信端末が、前記授業開始情報に係る授業を受講すべき前記学習者が使用する授業参加端末であるか否かを判定する授業参加端末判定機能と、
前記授業開始情報と前記ＡＰ情報とから前記授業開始情報に係る授業が行われる前記教室に設置された前記無線ＡＰを授業実施ＡＰとして特定する授業実施ＡＰ特定機能と、
前記授業参加端末に対して、前記授業実施ＡＰに無線通信接続するよう接続指示を行う通信制御実行機能と、を実現させることを特徴とする学習支援プログラム。
【手続補正２】
【補正対象書類名】明細書
【補正対象項目名】００１２
【補正方法】変更
【補正の内容】
【００１２】
本発明の学習支援システムの好適な実施形態の一つでは、学校の授業で利用する機器に関する情報と、当該学校に所属する学習者に関する情報を記憶する記憶装置と、処理装置と、を備え、前記授業を行う各教室に設置された無線アクセスポイント（無線ＡＰ）を介して無線通信接続された同一授業に参加する複数の通信端末の通信状態を均質化する学習支援システムであって、前記記憶装置は、前記無線ＡＰのＡＰ識別情報と当該無線ＡＰが設置された前記教室の教室情報とを関連付けたＡＰ情報を記憶するＡＰ情報記憶部と、前記学習者のユーザ識別情報と所属情報とを関連付けた名簿情報を記憶する名簿情報記憶部と、を備え、前記処理装置は、前記通信端末の端末識別情報と、当該通信端末を使用する前記学習者のユーザ識別情報と、を通信端末情報として取得する通信端末情報取得部と、前記通信端末情報と前記名簿情報とを関連付けて通信状態情報として管理する通信状態情報管理部と、授業が行われる前記教室の前記教室情報と、当該授業を受講すべき前記学習者の前記所属情報と、が関連付けられた授業開始情報を取得する授業開始情報取得部と、前記授業開始情報と前記通信状態情報とに基づいて、前記通信端末が、前記授業開始情報に係る授業を受講すべき前記学習者が使用する授業参加端末であるか否かを判定する授業参加端末判定部と、前記授業開始情報と前記ＡＰ情報とから前記授業開始情報に係る授業が行われる前記教室に設置された前記無線ＡＰを授業実施ＡＰとして特定する授業実施ＡＰ特定部と、前記授業参加端末に対して、前記授業実施ＡＰに接続するよう接続指示を行う通信制御実行部と、を備えている。
【手続補正３】
【補正対象書類名】明細書
【補正対象項目名】００１７
【補正方法】変更
【補正の内容】
【００１７】
本発明の学習支援システムの好適な実施形態の一つでは、前記通信端末情報取得部は、前記通信端末が無線通信接続している無線ＡＰのＡＰ情報を接続先ＡＰ情報として取得する接続先ＡＰ情報取得手段を備え、前記通信状態情報管理部は、前記通信端末情報と前記名簿情報と前記接続先ＡＰ情報とを関連付けて前記通信状態情報として管理し、前記処理装置は、さらに、前記授業実施ＡＰと前記通信状態情報とに基づいて、当該授業実施ＡＰに無線通信接続している授業実施ＡＰ接続端末を判定する授業実施ＡＰ接続端末判定部と、前記授業実施ＡＰ接続端末から、前記授業参加端末以外の前記通信端末を不正接続端末として特定する不正接続端末特定部と、を備え、前記通信制御実行部は、前記不正接続端末に対して前記授業実施ＡＰに対する無線通信接続を切断するよう指示する。
【手続補正４】
【補正対象書類名】明細書
【補正対象項目名】００２０
【補正方法】変更
【補正の内容】
【００２０】
本発明の学習支援システムの好適な実施形態の一つでは、前記処理装置は、さらに、前記ＡＰ情報と前記通信端末の位置情報とに基づいて、前記通信端末が無線通信接続可能な範囲内に設置されている前記無線ＡＰを接続可能ＡＰとして判定する接続可能ＡＰ判定部と、前記接続可能ＡＰと、前記通信制御実行部からの前記接続指示と、に基づいて、新たに無線通信接続する再接続先ＡＰを決定する再接続先ＡＰ決定部と、前記再接続先ＡＰに対して新たに無線通信接続を実行する再接続実行部と、を備えている。
【手続補正５】
【補正対象書類名】明細書
【補正対象項目名】００２２
【補正方法】変更
【補正の内容】
【００２２】
また、本発明の学習支援プログラムの好適な実施形態の一つでは、学校の授業で利用する機器に関する情報と、当該学校に所属する学習者に関する情報を記憶する記憶装置と、処理装置と、を備え、前記授業を行う各教室に設置された無線アクセスポイント（無線ＡＰ）を介して無線通信接続された同一授業に参加する複数の通信端末の通信状態を均質化する学習支援システムに用いられる学習支援プログラムであって、前記処理装置に、前記通信端末の端末識別情報と、当該通信端末を使用する前記学習者のユーザ識別情報と、を通信端末情報として取得する通信端末情報取得機能と、前記通信端末情報と、前記学習者のユーザ識別情報と所属情報とを関連付けた名簿情報と、を関連付けて通信状態情報として管理する通信状態情報管理機能と、授業が行われる前記教室の前記教室情報と、当該授業を受講すべき前記学習者の前記所属情報と、が関連付けられた授業開始情報を取得する授業開始情報取得機能と、前記授業開始情報と前記通信状態情報とに基づいて、前記通信端末が、前記授業開始情報に係る授業を受講すべき前記学習者が使用する授業参加端末であるか否かを判定する授業参加端末判定機能と、前記授業開始情報と前記ＡＰ情報とから前記授業開始情報に係る授業が行われる前記教室に設置された前記無線ＡＰを授業実施ＡＰとして特定する授業実施ＡＰ特定機能と、前記授業参加端末に対して、前記授業実施ＡＰに無線通信接続するよう接続指示を行う通信制御実行機能と、を実現させる。
【手続補正６】
【補正対象書類名】明細書
【補正対象項目名】０１６６
【補正方法】変更
【補正の内容】
【０１６６】
本発明を一般企業における会議支援システムに転用した場合の好適な実施形態の一つとしては、会社で利用する機器に関する情報と、当該会社に所属する社員に関する情報を記憶する記憶装置と、処理装置と、を備え、前記会社において会議を行う各会議室に設置された無線アクセスポイント（無線ＡＰ）を介して無線通信接続された同一会議に参加する複数の通信端末の通信状態を均質化する学習支援システムであって、前記記憶装置は、前記無線ＡＰのＡＰ識別情報と当該無線ＡＰが設置された前記会議室の会議室情報とを関連付けたＡＰ情報を記憶するＡＰ情報記憶部と、前記社員のユーザ識別情報と所属情報とを関連付けた社員情報を記憶する社員情報記憶部と、を備え、前記処理装置は、前記通信端末の端末識別情報と、当該通信端末を使用する前記社員のユーザ識別情報と、を通信端末情報として取得する通信端末情報取得部と、前記通信端末情報と前記社員情報とを関連付けて通信状態情報として管理する通信状態情報管理部と、会議が行われる前記会議室の前記会議室情報と、当該会議に参加すべき前記社員の前記所属情報と、が関連付けられた会議開始情報を取得する会議開始情報取得部と、前記会議開始情報と前記通信状態情報とに基づいて、前記通信端末が、前記会議開始情報に係る会議に参加すべき前記社員が使用する会議参加端末であるか否かを判定する会議参加端末判定部と、前記会議開始情報と前記ＡＰ情報とから前記会議開始情報に係る会議が行われる前記会議室に設置された前記無線ＡＰを会議実施ＡＰとして特定する会議実施ＡＰ特定部と、前記会議参加端末に対して、前記会議実施ＡＰに接続するよう接続指示を行う通信制御実行部と、を備える構成が考えられる。
【手続補正７】
【補正対象書類名】明細書
【補正対象項目名】０１７１
【補正方法】変更
【補正の内容】
【０１７１】
本発明を一般企業における会議支援システムに転用した場合の好適な実施形態の一つとしては、前記処理装置は、さらに、前記ＡＰ情報と前記通信端末の位置情報とに基づいて、前記通信端末が無線通信接続可能な範囲内に設置されている前記無線ＡＰを接続可能ＡＰとして判定する接続可能ＡＰ判定部と、前記接続可能ＡＰと、前記通信制御実行部からの前記接続指示と、に基づいて、新たに無線通信接続する再接続先ＡＰを決定する再接続先ＡＰ決定部と、前記再接続先ＡＰに対して新たに無線通信接続を実行する再接続実行部と、を備える、という構成が考えられる。